(57)【要約】【課題】映像出力装置からの映像を確実に映像モニターに表示出力させる。【解決手段】映像モニターに表示すべき第１映像信号の入力手段と、映像モニターに表示出力されている第２映像信号の入力手段と、映像モニターの電源をオンオフさせるリモコン信号と、映像モニターの映像信号入力系統を順送り動作させるリモコン信号を送信する手段と、第１映像信号と第２映像信号の有無と一致／不一致の旨の情報を出力する手段と、第１処理と第２処理を行う制御手段を備え、第１処理は、第１映像信号と第２映像信号の双方が「有り」の場合に第２処理に移行し、一方のみが「有り」であれば電源をオンオフさせるリモコン信号を発信させて第１処理を再実行し、第２処理は、第１映像信号と第２映像信号が不一致であれば順送り動作させるリモコン信号を発信させた後に第１処理を実行し、一致であれば第１処理を実行する映像モニター制御装置とした。【選択図】図３
2008098912.tif 000002
【特許請求の範囲】
【請求項１】
入力された複数の映像信号の一つを表示出力する映像モニターを制御する映像モニター制御装置であって、第１映像信号入力手段と、第２映像信号入力手段と、映像信号検出・比較手段と、リモコン信号発信手段と、制御手段とを備え、
第１映像信号入力手段は、映像モニターの適宜な映像入力系統へ入力される第１映像信号を入力し、
第２映像信号入力手段は、映像モニターに表示出力されている映像に相当する第２映像信号を入力し、
リモコン信号発信手段は、制御手段の制御に従い、映像モニターの電源をオンオフさせるトグル動作リモコン信号と、映像モニターの映像信号入力系統を順送り動作させる映像入力切換リモコン信号とを送信し、
映像信号検出・比較手段は、第１映像信号入力手段と第２映像信号入力手段のそれぞれが入力している映像信号に基づいて、第１映像信号と第２映像信号のそれぞれについて「有り」「無し」の情報と、第１映像信号と第２映像信号について「一致」「不一致」の情報とを出力し、
制御手段は、電源オンオフ処理と、映像入力切換処理と、映像信号検出・比較手段からの出力情報に基づく第１処理および第２処理を行い、
電源オンオフ処理は、トグル動作リモコン信号をリモコン信号送信手段に出力させてから所定時間待機し、
入力切換処理は、映像入力切換リモコン信号をリモコン信号送信手段に出力させてから所定時間待機し、
第１処理は、第１映像信号と第２映像信号について、双方が「有り」の情報ならば第２処理に移行し、一方が「有り」で他方が「無し」であれば電源オンオフ処理を行った後に当該第１処理を再実行し、
第２処理は、第１映像信号と第２映像信号について、「不一致」の情報であれば映像入力切換処理を行った後に第１処理を実行し、「一致」の情報であれば第１処理を実行する
映像モニター制御装置。
【請求項２】
入力された複数の映像信号の一つを表示出力する映像モニターを制御する映像モニター制御装置であって、第１映像信号入力手段と、第２映像信号入力手段と、映像信号検出・比較手段と、リモコン信号発信手段と、制御手段とを備え、
第１映像信号入力手段は、映像モニターの適宜な映像入力系統へ入力される第１映像信号を入力し、
第２映像信号入力手段は、映像モニターに表示出力されている映像に相当する第２映像信号を入力し、
リモコン信号発信手段は、制御手段の制御に従い、映像モニターの電源をオンオフさせるトグル動作リモコン信号と、映像モニターの映像信号入力系統を順送り動作させる映像入力切換リモコン信号とを送信し、
映像信号検出・比較手段は、第１映像信号入力手段と第２映像信号入力手段のそれぞれが入力している映像信号に基づいて、第１映像信号と第２映像信号のそれぞれについて「有り」「無し」の情報と、第１映像信号と第２映像信号について「一致」「不一致」の情報とを出力し、
制御手段は、電源オンオフ処理と、映像入力切換処理と、映像信号検出・比較手段からの出力情報に基づく第１処理および第２処理を行い、
電源オンオフ処理は、トグル動作リモコン信号をリモコン信号送信手段に出力させてから所定時間待機し、
入力切換処理は、映像入力切換リモコン信号をリモコン信号送信手段に出力させてから所定時間待機し、
第１処理は、第１映像信号と第２映像信号について、双方が「有り」の情報ならば第２処理に移行し、第１映像信号が「有り」の情報で第２映像信号が「無し」の情報ならば電源オンオフ処理を実行して当該第１処理を再実行し、第１映像信号が「無し」であれば当該第１処理を再実行し、
第２処理は、第１映像信号と第２映像信号について、「不一致」の情報であれば映像入力切換処理を行った後に第１処理を実行し、「一致」の情報であれば第１処理を実行する
映像モニター制御装置。
【発明の詳細な説明】
【技術分野】
【０００１】
本発明は複数の映像入力系統を備えた映像モニターを制御する装置であって、具体的には、ＴＶ受信映像などの内部映像信号とＶＴＲなどからの外部映像信号、あるいは２台のＶＴＲなどから外部映像信号など、複数の映像信号を入力して、その一つの信号を表示出力する映像モニターについて、映像信号と実際に表示出力されている信号とに基づいて、映像モニターの電源や映像入力系統を自動的に切り替える映像モニター制御装置に関する。
【背景技術】
【０００２】
ＴＶ受像器などの映像モニターには、普通、２系統以上の映像信号入力系統がある。すなわち、ＴＶ受像器であれば、内部で生成したＴＶ放送の映像信号と、ビデオレコーダなどからの外部映像機器などからの外部映像信号のそれぞれを入力し、その一方の映像信号をディスプレイ画面に表示出力させるための入力信号切換回路を内蔵している。最近の映像モニターは、多種多様な外部映像機器の普及により、例えば、ＤＶＤプレーヤーとビデオレコーダを接続できるように、外部映像信号の入力系統を２系統以上備えている。
【０００３】
ところで、映像モニターの商用利用形態として、外部入力された信号をほぼ常時表示出力する形態がある。たとえば、商店の店頭などで、エンドレスビデオテープやビデオレコーダの繰り返し再生機能を使い、商品説明等を内容とした販促用のビデオ映像を常時表示したり、カラオケ装置のように、カラオケ店舗が営業中にあるときは、カラオケ装置からの歌詞画像を表示出力させたりする場合などである。
【０００４】
本出願人らは、カラオケ事業を展開しており、多数のカラオケ店舗に納入したカラオケ装置の保守点検業務を日々行っている。そして、カラオケ店舗側から「カラオケの歌詞画像が映像モニターに表示されないから修理してほしい」という内容の修理依頼を受けることがある。しかし、実際に保守点検要員が現場に行くと、故障ではなく、モニターの電源が入っていなかったり、映像信号の入力系統がカラオケ装置からの映像を表示するように切り替えていなかったりするなど、初歩的な操作ミスであることがある。それでも保守点検要員は、他の重要な保守案件があるにも関わらず、モニターの電源スイッチを入れたり、映像入力系統を切り替えたりするだけ作業を現場で行う。これでは、保守点検のための時間と経費を浪費することになる。なお、以下の特許文献には、映像信号の有無を判別し、信号入力のある系統に切り替えたり、特定の入力系統に信号入力があれば、その系統に優先的に切り替えたりする回路を内蔵したＴＶ受像器について記載されている。
【特許文献１】特開平５−３０８５８８号公報
【特許文献２】特開２００２−２４７４５７号公報
【発明の開示】
【０００５】
＝＝＝発明の意図＝＝＝
新規のカラオケ店舗であれば、上記特許文献に記載されているようなＴＶ受像器をそのカラオケ店舗に導入すればよいが、すでに膨大な台数のカラオケ装置が存在しており、その全てのカラオケ装置用の映像モニターを交換することは現実的ではない。ここで本発明者らは、現在の映像モニターのほとんどが、リモコン信号を受け付けて、電源のオンオフや映像入力系統の切換ができること。および、表示中の映像に対応する映像信号を出力するための映像出力端子を装備していることに着目した。そして、映像出力端子からの映像信号と表示すべき部映像信号との比較に基づいて、モニター用のリモコン信号を生成して出力する外付けの装置があれば、カラオケ装置が稼働中にあるときは、映像モニターの動作状態の如何に関わらず、カラオケ装置からの歌詞画像映像を表示できると考えた。
【０００６】
しかし、電源をオンオフするためのリモコン信号は、映像モニターの電源をトグル動作させるための信号（以下、トグル動作信号）であり、映像モニターがオン状態にあればオフになり、オフ状態にあればオンになる。また、映像入力系統を切り替えるためのリモコン信号は映像入力系統を順送りにする信号（以下、映像入力切換信号）である。例えば、外部映像入力系統を２系統（Ｌ１，Ｌ２とする）備えたＴＶ受像器で、初期状態がＴＶ放送を表示出力していれば、映像入力切換信号を受け付ける毎に、ＴＶ→Ｌ１→Ｌ２→ＴＶ→Ｌ１・・・というように、表示が順番に切り替わる。また、電源を一度オフにして再度オンにすると、映像入力系統が初期状態（例えばＴＶ映像など）に戻る機種も多い。したがって、表示中の映像がどの映像入力系統からの映像信号に対応するのかが分からなければ、選択的にカラオケ装置からの映像に切り替えることができない。本発明者らはこのようなことを考えながら本発明を創作した。
【０００７】
＝＝＝本発明の要旨＝＝＝
本発明は、次の事項（１）〜（10）によって特定されるものである。  
（１）入力された複数の映像信号の一つを表示出力する映像モニターを制御する映像モニター制御装置であって、第１映像信号入力手段と、第２映像信号入力手段と、映像信号検出・比較手段と、リモコン信号発信手段と、制御手段とを備えること
（２）第１映像信号入力手段は、映像モニターの適宜な映像入力系統へ入力される第１映像信号を入力すること
（３）第２映像信号入力手段は、映像モニターに表示出力されている映像に相当する第２映像信号を入力すること
（４）リモコン信号発信手段は、制御手段の制御に従い、映像モニターの電源をオンオフさせるトグル動作リモコン信号と、映像モニターの映像信号入力系統を順送り動作させる映像入力切換リモコン信号とを送信すること
（５）映像信号検出・比較手段は、第１映像信号入力手段と第２映像信号入力手段のそれぞれが入力している映像信号に基づいて、第１映像信号と第２映像信号のそれぞれについて「有り」「無し」の情報と、第１映像信号と第２映像信号について「一致」「不一致」の情報とを出力すること
（６）制御手段は、電源オンオフ処理と、映像入力切換処理と、映像信号検出・比較手段からの出力情報に基づく第１処理および第２処理を行うこと
（７）電源オンオフ処理は、トグル動作リモコン信号をリモコン信号送信手段に出力させてから所定時間待機すること
（８）入力切換処理は、映像入力切換リモコン信号をリモコン信号送信手段に出力させてから所定時間待機すること
（９）第１処理は、第１映像信号と第２映像信号について、双方が「有り」の情報ならば第２処理に移行し、一方が「有り」で他方が「無し」であれば電源オンオフ処理を行った後に当該第１処理を再実行すること
（10）第２処理は、第１映像信号と第２映像信号について、「不一致」の情報であれば映像入力切換処理を行った後に第１処理を実行し、「一致」の情報であれば第１処理を実行すること
【０００８】
また、本発明は次の事項（21）〜（30）によって特定されるものであってもよい。  
（21）入力された複数の映像信号の一つを表示出力する映像モニターを制御する映像モニター制御装置であって、第１映像信号入力手段と、第２映像信号入力手段と、映像信号検出・比較手段と、リモコン信号発信手段と、制御手段とを備えること
（22）第１映像信号入力手段は、映像モニターの適宜な映像入力系統へ入力される第１映像信号を入力すること
（23）第２映像信号入力手段は、映像モニターに表示出力されている映像に相当する第２映像信号を入力すること
（24）リモコン信号発信手段は、制御手段の制御に従い、映像モニターの電源をオンオフさせるトグル動作リモコン信号と、映像モニターの映像信号入力系統を順送り動作させる映像入力切換リモコン信号とを送信すること
（25）映像信号検出・比較手段は、第１映像信号入力手段と第２映像信号入力手段のそれぞれが入力している映像信号に基づいて、第１映像信号と第２映像信号のそれぞれについて「有り」「無し」の情報と、第１映像信号と第２映像信号について「一致」「不一致」の情報とを出力すること
（26）制御手段は、電源オンオフ処理と、映像入力切換処理と、映像信号検出・比較手段からの出力情報に基づく第１処理および第２処理を行うこと
（27）電源オンオフ処理は、トグル動作リモコン信号をリモコン信号送信手段に出力させてから所定時間待機すること
（28）入力切換処理は、映像入力切換リモコン信号をリモコン信号送信手段に出力させてから所定時間待機すること
（29）第１処理は、第１映像信号と第２映像信号について、双方が「有り」の情報ならば第２処理に移行し、第１映像信号が「有り」の情報で第２映像信号が「無し」の情報ならば電源オンオフ処理を実行して当該第１処理を再実行し、第１映像信号が「無し」であれば当該第１処理を再実行すること
（30）第２処理は、第１映像信号と第２映像信号について、「不一致」の情報であれば映像入力切換処理を行った後に第１処理を実行し、「一致」の情報であれば第１処理を実行すること
【発明を実施するための最良の形態】
【０００９】
＝＝＝映像モニター制御装置の構成＝＝＝
本発明の映像モニター制御装置（以下、制御装置）は、ビデオプレーヤなど、各種映像信号出力機器からの映像信号を正しく映像モニターにて表示させる利用形態に対応することができる。ここでは、本発明の一実施形態として、カラオケ装置からの歌詞画像を映像モニターに正しく表示させる事例を挙げて説明する。図１に、制御装置の概略構成と、当該制御装置におけるカラオケ装置や映像モニターの接続状態とを示した。制御装置１は、カラオケ装置３０からの映像信号（第１映像信号）と、映像モニター４０が現に表示している映像信号（第２映像信号）を検出・比較する機能構成（映像信号検出・比較部）１０と、当該構成１０による２つの映像信号の検出・比較結果に基づいて映像モニター４０を制御するためのリモコン信号を無線送信する機能構成（リモコン信号送信部）２０とを備えている。
【００１０】
図２に本発明の実施例における制御装置１の詳細な機能ブロック構成を示した。当該制御装置１のリモコン信号送信部２０の構成は、汎用リモコン装置とほぼ同等である。周知のごとく、汎用リモコン装置は、映像モニター４０のメーカ毎に遠隔操作用の制御コードを記憶し、ユーザインタフェースにより受け付けた所定の設定操作によって特定のメーカの映像モニター４０を操作するためのリモコン装置として使用することができる。
【００１１】
マイコン２は、ＣＰＵ・ＲＡＭ・ＲＯＭを含み、映像信号検出・比較部１０とリモコン信号送信部２０の各構成部を制御する。フラッシュメモリ２１には、リモコン信号の起源となる制御コードを映像モニター４０のメーカや機種毎に記憶している。なお本実施例では、電源をオンオフさせるためのトグル動作信号に対応する制御コードと映像入力系統を切換えるための映像入力切換信号に対応する制御コードのみが記憶されている。
【００１２】
ユーザインタフェースは、制御対象となる映像モニター４０のメーカや機種をユーザに設定させるための操作キー２２と、設定されたメーカ名や機種などを表示出力したりするための液晶ディスプレイ（ＬＣＤ）２５によって構成される。
【００１３】
ユーザが、所定のメーカや機種を設定するために操作キー２２を操作すると、操作制御部２３は、その操作入力に応じた情報をマイコン２に転送する。マイコン２は、操作入力情報とメーカや機種との対応関係をＲＯＭに記憶し、フラッシュメモリ２１に記憶されている制御コードのうち、操作制御部２３から転送されてきた操作入力情報に対応するメーカや機種についての制御コードに使用可能とする旨のフラグを付帯させるなどして、その制御コードのみをリモコン信号の起源として設定する。また、設定したメーカ名や機種名など、設定状態に応じた文字情報をＬＣＤドライバ２４に転送し、ＬＣＤドライバ２４は、その文字情報に応じた駆動信号によってＬＣＤ２５を駆動し、設定状態に関わる情報をＬＣＤ２５に表示出力させる。
【００１４】
マイコン２は、映像信号検出・比較部１０が所定の情報が出力していると、トグル動作信号、あるいは映像切換信号のいずれかに対応した制御コードをＬＥＤドライバ２６に転送する。ＬＥＤドライバ２６は、そのコードをＦＭ変調し、その変調信号によってＬＥＤ２７を駆動する。それによって、ＬＥＤ２７は、赤外線によるトグル動作信号あるいは映像切換信号を発信する。なお本実施例では、赤外線リモコン信号を映像モニター４０の受光部に確実に受光させるために、延長ケーブル２８を介して制御装置１の筐体外部にＬＥＤドライバ２６からの信号を案内し、その延長ケーブル２８の末端にＬＥＤ２７を接続している。そして、ＬＥＤ２７を映像モニター４０のリモコン信号の受光部に向けて設置すれば、制御装置１と映像モニター４０の配置状態に関わらず、確実にリモコン信号を映像モニター４０に受信させることができる。
【００１５】
映像信号検出・比較部１０は、カラオケ装置３０からの第１映像信号を入力するための第１映像入力端子１１ａと、映像モニター４０からの第２映像信号を入力するための第２映像入力端子１１ｂとを備え、これらの入力端子（１１ａ、１１ｂ）に入力された第１および第２映像信号について、信号の有無や同一性を示す情報を出力する。なお第１映像信号は、ビデオアンプ１２にて増幅された後、映像出力端子１３から映像モニター４０の所定の映像入力系統に入力される。もちろん第一映像信号は、制御装置１に入力される前に分岐して映像モニター４０の所定の映像入力系統に入力させてもよい。
【００１６】
本実施例では、第１および第２の映像信号をＮＴＳＣ規格のコンポジット映像信号によって入力し、同期信号分離部（１４ａ、１４ｂ）は、コンポジット映像信号から同期信号を分離する。すなわち、同期信号が分離できれば、映像信号が入力されていることになる。第１映像信号検出部１５ａ、および第２映像信号検出部１５ｂは、同期信号の分離可否に応じて第１および第２映像信号の有無を示す情報をそれぞれ出力する。
【００１７】
信号比較部１６は、第１および第２映像信号を比較し、双方の映像信号について一致／不一致の旨の情報を出力する。本実施例では、同期信号分離部（１４ａ、１４ｂ）にて分離した同期信号の位相差に基づいて信号の一致／不一致を検出する。すなわち、分離した同期信号が同じ位相であれば、第１および第２映像信号の双方に位相差がなく、双方の映像信号が同一であると判断できる。信号比較部１６は、位相差がなければ双方の映像信号が一致している旨の一致情報を出力し、位相差があれば不一致情報を出力する。また、回路の遅延による位相差があったとしても、一定の位相差が保たれていれば同一であり一致していると判定でき、周期が微妙に異なり位相差が刻々と変化するような非同期状態であれば不一致と判定できる。
【００１８】
もちろん、第１および第２映像信号の一致／不一致の判定は、同期信号の位相差によって判定する方式に限らず、種々の方式が考えられる。たとえば、信号比較部１６にＤ／Ａコンバータと複数画面分のフレームメモリを搭載し、第１および第２映像信号からそれぞれ複数フレーム分の画像を取り込む。そして、双方の映像信号を起源とする双方の複数フレーム分の画像を比較する。そして、同一の画像が存在すれば、第１映像信号と第２映像信号は一致していると判断できる。それによって、映像モニター４０において、カラオケ装置３０から入力した映像信号を第２映像信号として出力する際に遅延が発生したとしても、高い精度で双方の映像信号の一致／不一致を判定できる。
【００１９】
＝＝＝映像モニターの制御＝＝＝
図３に制御装置１による映像モニター４０の制御の概略を示した。（Ａ）に映像信号の入出力状態と、制御装置１が発信するリモコン信号の種別との対応関係を示し、（Ｂ）に制御の流れを示した。制御装置１は、常時動作状態にあり、カラオケ装置３０と映像モニター４０からの映像信号出力状態を監視している。カラオケ装置３０の電源が入っていないときは、閉店時間帯など、カラオケ装置が使用されていないときであり、映像モニター４０の電源も入っていない状態が望ましい。映像信号比較部の第１映像信号検出部が第１映像入力端子に映像信号が入力されていない旨の情報を出力していれば、マイコン２は、無条件で映像モニター４０の電源がオフ状態となるように制御する。すなわち、第１映像信号検出部から信号無し情報が出力されている場合、第２映像信号検出部から信号無し情報が出力されていれば、そのままの状態を維持し（ｓ１→ｓ４→ｓ１）、第２映像信号検出部から信号有り情報が出力されていれば、トグル動作信号を発信させて映像モニター４０の電源を切る（ｓ１→ｓ４→ｓ５）。
【００２０】
一方、カラオケ装置３０の電源が入っているときは、カラオケ店舗が営業中であり、映像モニター４０の電源がオンになっていて、かつ、カラオケ装置３０からの映像信号が映像モニター４０に正しく表示出力されている必要がある。すなわち、第１映像信号と第２映像信号とが一致した状態に維持するように制御する必要がある。マイコン２は、第１映像信号検出部１５ａが信号有り情報を出力している状態で、第２映像信号検出部１５ｂが信号無し情報を出力している場合には、まず、トグル動作信号を発信させて映像モニター４０の電源をオンにする（ｓ１→ｓ２→ｓ５）。これで、第１及び第２映像信号検出部（１５ａ、１５ｂ）がともに信号有り情報を出力することになる（ｓ１→ｓ２→ｓ３）。そしてマイコン２は、信号比較部１６から一致の旨の情報が出力されるまで、映像切換信号を発信させ（ｓ３→ｓ６→ｓ７→ｓ１→ｓ２→ｓ３→ｓ６→ｓ７→ｓ１・・・）、信号一致情報を検出した時点でその状態を維持する（ｓ３→ｓ１）。
【００２１】
なお、リモコン信号を発信した際には、その信号を受信して映像モニター４０の表示状態が変わり、その表示に対応した第２映像信号が安定して出力されるまでの時間を考慮し、所定時間待機した上で再度制御を最初から始める（ｓ７→ｓ１）。
【００２２】
図４に制御装置によるその他の制御の概略を示した。（Ａ）に映像信号の入出力状態と、制御装置が発信するリモコン信号の種別との対応関係を示し、（Ｂ）に制御の流れを示した。なお図４（Ｂ）と図３（Ｂ）は、同じ処理ステップについては同じ符号（ｓＸ：Ｘは自然数）を付してある。
【００２３】
この実施例では、カラオケ装置３０が稼働状態にあるときのみ、映像モニター４０の電源状態を認知し、カラオケ装置３０からの映像を正しく映像モニター４０に表示させるように制御する。たとえば、カラオケ装置３０を設置しているスナックなどでは、飲食サービスが主体であり、必要なときにカラオケ装置３０の電源を入れる場合がある。このような業態では、カラオケ装置３０が稼働中になくても、映像モニター４０にＴＶ映像を表示するなど、別の映像を出力することもあり得る。したがて、カラオケ装置３０が稼働中に無い場合は、映像モニター４０の電源投入状態については関知せず、マイコン２は、第１映像信号の有り情報が出力されていなければ現状を維持する（ｓ１→ｓ１）。
【図面の簡単な説明】
【００２４】
【図１】本発明の実施例における映像モニター制御装置の概略構成と、映像モニターに接続されるカラオケ装置と映像モニターとの接続関係を示す概略図である。
【図２】上記映像モニター制御装置の機能構成図である。
【図３】上記映像モニター制御装置による映像モニター制御処理の概略図である。（Ａ）は映像モニターに入力される映像信号に基づくリモコン信号の種別を示す概略図であり、（Ｂ）は映像モニター制御処理の流れ図である。
【図４】上記映像モニター制御装置によるその他の映像モニター制御処理の概略図である。（Ａ）は映像モニターに入力される映像信号に基づくリモコン信号の種別を示す概略図であり、（Ｂ）は映像モニター制御処理の流れ図である。
【符号の説明】
【００２５】
１  映像モニター制御装置
２  マイコン
１０  映像信号検出・比較部
２０  リモコン信号発信部
３０  カラオケ装置
４０  映像モニター
【図１】
2008098912.tif 000003
【図２】
2008098912.tif 000004
【図３】
2008098912.tif 000005
【図４】
2008098912.tif 000006